(57)【要約】【課題】  土壌処理工法における利点とベイトエ法における利点を有効に組み合わせて利用することによって、さらに効果的にシロアリを防除することができる、シロアリの殺虫又は成育抑制方法を提供する。【解決手段】  側面部にシロアリが通過できる小孔を穿設した内側容器２と、その内側容器２を挿入できる外側容器３とから成るシロアリの殺虫、成育抑制容器１を使用する。内側容器２内に防蟻薬剤で処理した土壌を充填し、内側容器２の外面と外側容器３の内面とによって画成される空間内に誘蟻材料を充填し、シロアリを防蟻薬剤で処理した土壌中に誘引して、シロアリを殺虫又は成育抑制する。【選択図】          図１
2005046076.tif 000002
【特許請求の範囲】
【請求項１】
側面部にシロアリが通過できる小孔を穿設した内側容器と、その内側容器を挿入できる外側容器とから成るシロアリの殺虫、成育抑制容器を使用し、前記内側容器内に防蟻薬剤で処理した土壌を充填し、前記内側容器の外面と前記外側容器の内面とによって画成される空間内に誘蟻材料を充填し、シロアリを前記防蟻薬剤で処理した土壌中に誘引して、シロアリを殺虫又は成育抑制することを特徴とするシロアリの殺虫、成育抑制方法。
【請求項２】
前記防蟻薬剤で処理した土壌は、有効態リン酸又は/及び有機物、植物栄養要素を多く含む富栄養土壌であることを特徴とする請求項１に記載のシロアリの殺虫、成育抑制方法。
【請求項３】
前記防蟻薬剤で処理した土壌中に、シロアリの体長より大きな障害物を混入させることを特徴とする請求項１又は２に記載のシロアリの殺虫、成育抑制方法。
【請求項４】
側面部にシロアリが通過できる小孔を穿設した内側容器と、その内側容器を挿入できる外側容器とから成り、前記内側容器内に防蟻薬剤で処理した土壌を充填し、前記内側容器の外面と前記外側容器の内面とによって画成される空間内に誘蟻材料を充填したことを特徴とするシロアリの殺虫、成育抑制容器。
【請求項５】
さらに、前記外側容器の上部を被覆し、中央部に防蟻薬剤で処理した土壌を投入するための投入口を形成した外側蓋体と、この外側蓋体に形成した投入口に着脱自在とした内側蓋体と、を配設したことを特徴とする請求項４に記載のシロアリの殺虫、成育抑制容器。
【発明の詳細な説明】
【技術分野】
【０００１】
本発明は、環境への毒性等の悪影響が極めて低い土壌処理工法を適用して、住宅等に使用されている木材や木質材料等のシロアリによる被害を防止するようにしたシロアリの殺虫、成育抑制方法及びシロアリの殺虫、成育抑制容器に関する。
【背景技術】
【０００２】
従来、住宅に対するシロアリによる被害を防止する方法としては、主として、床下の土壌表面に乳剤、粉粒剤又は水分散剤等を散布して土壌処理をするとともに、木材表面に油剤、乳剤又は塗膜形成剤等を塗布して木材処理をする方法が実施されている。
【０００３】
かかる従来の方法は、先ず、土壌を処理することによって、土壌を介してシロアリが侵入するのを防止し、万一、シロアリが土壌を突破したとしても、次に、シロアリが食料源とする木材を処理することによって、シロアリが木材に接触した時点で根絶させる、という２段階防除を実施するものである。そして、かかる方法は、シロアリを防除するのに有効であるとともに、特別な技術を必要としない汎用的な方法であると言える。
尚、かかる防除方法に使用される薬剤は、特に、限定されるものではなく、市販のあらゆる有効成分を含有するものを使用することができる。
【０００４】
しかし、近年、シロアリ薬剤を大量に散布することによって惹起される環境汚染問題、防蟻又は/及び防腐有効成分が蒸散することによって、又は、これら有効成分を溶解させるために使用される各種有機溶媒が蒸散することによって惹起される居住者の健康棄損（ＶＯＣ）問題、シロアリの防除作業中に、故意であるか否かに係わらず、防除薬剤が水系に流出することによって惹起される水系汚染問題等、従来の防除方法には多くの問題点が指摘されている。
【０００５】
そこで、従来の防除薬剤に代わるものとして、天然精油或いは天然存在成分、又は無機成分を有効成分とする防除薬剤が開発され、その一部は既に市販されている。このような天然精油或いは天然存在成分、又は無機成分を有効成分とする防除剤は、現在において主流となっている有機合成化合物を有効成分とする防除剤と比較して、人畜に対する毒性、影響が比較的少ないことから、将来を有力視されているものである。
【０００６】
一方において、毒餌又は/及びシロアリに対する生理阻害物質を使用するベイト工法も一部において実施されている（例えば、特許文献１参照。）。かかるベイト工法は、人畜に対してより安全性が高い物質を、できるだけ少ない量をもって、しかも、直接人畜には接触させないようにして使用することにより、人畜に対する毒性、影響をより低減したものである。
【０００７】
【特許文献１】特開２００１−９７８０８号公報
【発明の開示】
【発明が解決しようとする課題】
【０００８】
しかし、天然精油或いは天然存在成分、又は無機成分を有効成分とする防除剤を使用する防除方法にあっては、天然精油又は天然存在成分は、一般に、蒸気圧が高く、容易に蒸散してしまうことから、シロアリを防除する効力が長期的に持続することを期待できない。又、無機成分は、重金属又は/及び水溶解性のものがほとんどであり、環境中に大量に散布された場合には、その非分解性によって、広範囲に亘る土壌汚染又は水系汚染を惹起する虞がある。
【０００９】
一方、ベイトエ法にあっても、１）シロアリの喫食性によって、防除効果が大きく左右されること、２）シロアリの接近を確認し、ベイト剤に交換する作業であるモニタリングを実施することによって、折角接近したシロアリが刺激を受けて逃避し、二度と戻ってこない場合もあること、３）ベィト剤がベイティング中に水分を吸収したり、カビその他の微生物により汚染されることによって、シロアリがベイト剤に対して忌避性を示すこともよくあること、等の問題点が指摘されている。
【００１０】
本発明は、かかる従来の問題点を解決すべく為されたものであり、土壌処理工法における利点とベイトエ法における利点を有効に組み合わせて利用することによって、さらに効果的にシロアリを防除することができる、シロアリの殺虫又は成育抑制方法を提供することを目的とする。すなわち、本発明は、土壌処理工法において使用される防除薬剤を使用しながら、人畜、環境に対する悪影響を極力少なく、しかも、それら防除薬剤の利点である高い防除効果と長い持続性を十分に確保し得る、シロアリの殺虫、成育抑制方法及びシロアリの殺虫、成育抑制容器を提供することを目的とする。そして、その目的を達成するために、本発明においては、ベイトエ法の概念を有効に利用している。
【課題を解決するための手段】
【００１１】
上記目的を達成するべく、本発明者等は、長年に亘って種々研究、検討を重ねた結果、シロアリ防除に関して最も有効かつ安価な従来の土壌処理薬剤を、従来の如く床下の土壌表面に大量に散布するのではなく、土壌処理薬剤を含有させた土壌を所定形状を有する容器に充填して、直接周辺の土壌、人畜に接触させないようにすれば、人畜、環境に対する悪影響を極力小さくしつつ、土壌処理薬剤の高い防除効果と長い持続性を十分に発揮できることを見出した。
【００１２】
ここで、土壌処理薬剤を含有させる土壌としては、通常の床下等に存在するものではなく、有効態リン酸又は/及び有機物の豊當な土壌を使用した。これによって、シロアリの有機合成薬剤に対する感受性を低下させ、シロアリの薬剤に対する忌避性を阻止することができた。
【００１３】
又、土壌処理薬剤を含有させる土壌中に、シロアリの体形寸法より大きな障害物を混入させた。これによって、薬剤処理した土壌中に侵入したシロアリは、この障害物を避け、迂回して穿孔するために、シロアリの薬剤に対する接触時間を増大させることができた。
【００１４】
尚、薬剤処理した土壌中へシロアリを誘引する手法としては、従来公知の手法を応用して、薬剤処理した土壌の周囲にシロアリの嗜好する材料を配置するという手法を採用した。
【００１５】
薬剤処理する土壌としては、シロアリを防除するための土壌処理用薬剤のシロアリに対する効果発現を遅らせ、シロアリヘの刺激を極力低減させるために、有効態リン酸又は/及び有機物、植物栄養要素を多く含む土壌を使用する。
具体的には、園芸用栄養素配合土壌、腐植土、水溶性肥料又は水に分散溶解させた有機或いは無機肥料を混合した土壌等が好ましい。特には、リン酸を含有する肥料を混合した土壌が好ましい。
【００１６】
シロアリ防除用薬剤、すなわち土壌処理用防蟻薬剤としては、特に限定されるものではなく、現在市販されているものを使用することができる。又、将来において土壌処理用薬剤として販売されるものを使用してもよい。
【００１７】
具体的に土壌処理用薬剤に含有される有効成分としては、クロルピリホス、フェニトロチオン、ピリダフェンチオン、ホキシム、プロペタンホス等に代表される有機リン系化合部、フェノブカルブ、カルバリル、プロポキシル等に代表されるカーバメート系化合物、ピレトリン、ペルメトリン、アレスリン、ビフェントリン、トラロメトリン、アクリナトリン、シペルメトリン等に代表される天然又は合成ピレスロイド系化合物、シラフルオフェン、エトフェンプロックス等に代表されるピレスロイド様化合物、イミダクロピリド、アセタミプリド等に代表されるクロロニコチニル系化合物、クロチアニジン等に代表されるネオニコチノイド系化合物、その他クロロフェナピル、フィプロニル等に代表されるその他の構造を有する化合物を挙げることができる。
又、ホウ酸、ホウ砂等に代表される無機系化合物を、有効成分として使用することもできる。
【００１８】
通常、これらの有効成分を使用した土壌用防蟻薬剤は、有機溶剤に界面活性剤と共に溶解し、使用時に水で希釈して乳剤として調製し、これを土壌に混合する他、水に分散させて水和剤、フロアブル剤として使用することもできる。又、適当な微粉体又は顆粒体に吸着又は混合させることで、粉剤、粒剤として使用することもできる。さらに、水溶性のものにあっては、水に溶解させて使用することもできる。
特には、水和剤、フロアブル剤又は粉剤として使用すれば、シロアリの溶媒等に対する忌避性をさらに低下させることができる。
【００１９】
土壌処理用防蟻剤を土壌に混合する場合には、通常、その有効成分が０．０１〜１０．０重量％となるようにする。特には、０．０５〜１．０重量％とするのが好ましい。
【００２０】
誘蟻材料としては、特に限定されるものではなく、シロアリが好むものであれば何でも使用することができる。片ダンボール紙、キッチンペーパー、クラフト紙等の天然植物繊維材料が取扱い上において好ましいが、木材又は木質材料の切片、カンナ屑等を使用することもできる。又、木粉、ノコ屑、木繊維等も、紙等のシロアリが好む材料で作製された袋に詰める等して使用することができる。
【００２１】
誘蟻材料は、使用時において特に水分を付与する必要はないが、好ましくは、３〜３０重量％、特に好ましくは、３〜１５重量％の水を添加するのがよく、これによって、さらにシロアリの誘引を促進することができる。
【発明を実施するための最良の形態】
【００２２】
本発明の実施形態について、図面を参照して具体的に説明するが、先ず、本発明のシロアリの殺虫、成育抑制容器について説明する。
図１は、本発明のシロアリの殺虫、成育抑制容器の一実施例の斜視図であり、図２は、図１に示すシロアリの殺虫、成育抑制容器の側面図である。
【００２３】
本発明のシロアリの殺虫、成育抑制容器１は、図１及び図２に示すように、内側容器２、外側容器３、外側蓋体４及び内側蓋体５とから構成される。
【００２４】
内側容器２は、土壌処理薬剤によって処理された土壌を充填するための容器であって、その側面部２１には通過孔６が多数穿設されている。
ここで、通過孔６の形状及び寸法は、特に限定されるものではないが、シロアリが容易に通過することができる一方、充填した土壌が容易には零れ落ちない程度の寸法のものが好ましい。具体的には、通過孔６の直径は、３〜１５ｍｍが好ましく、特には、３〜７ｍｍが好ましい。
但し、薬剤処理した土壌が零れ出ないようするため、底面部２２には通過孔６を穿設しない方が好ましい。
【００２５】
外側容器３は、前記内側容器２を挿入できる寸法に形成し、内側容器２の外面と外側容器３の内面とによって画成される空間に、シロアリが好む材料（誘蟻材料）を充填するための容器である。
【００２６】
ここで、内側容器２及び誘蟻材料を支持するため、外部の土壌から水分を吸収して効果が低下しないよう、外部の土壌と接触させないようにするため、又、薬剤処理した土壌から防蟻有効成分が流出しないようにするため、外側容器３の底面部３１には支持台７を配設するのが好ましい。
【００２７】
内側容器２及び外側容器３の大きさは、特に限定するものではないが、内側容器２の直径又は一辺の長さは、５〜２０ｃｍが好ましく、特には、５〜１２ｃｍが好ましい。外側容器３の直径又は一辺の長さは、８〜３０ｃｍが好ましく、特には、８〜２０ｃｍが好ましい。
内側容器２と外側容器３との直径又は一辺の長さの比は、１：１．５〜１：４が好ましく、特には、１：１．５〜１：２が好ましい。
又、内側容器２及び外側容器３の高さは、何れについても、１０〜３０ｃｍが好ましく、特には、１０〜２０ｃｍが好ましい。
【００２８】
外側蓋体４は、外側容器３の上部を被覆するための蓋体であり、外側蓋体４の
直径又は一辺の長さは、外側容器３の直径又は一辺の長さはより大きくするのが好ましく、１０〜４０ｃｍ、特には、１０〜２５ｃｍとするのが好ましい。
又、外側蓋体４の中央部には、土壌処理薬剤を投入するための投入口７を形成してある。
【００２９】
内側蓋体５は、その直径又は一辺の長さを前記外側蓋体４に形成した投入口７の直径又は一辺の長さと略同一としてあり、投入口７に嵌合できるようになっている。
内側蓋体５と投入口７との嵌合形態は、互いの当接面にネジ、鍵溝等を形成して、内側蓋体５を所定角度回転することによって、嵌合自在となっているのが好ましい。
尚、内側蓋体５の中央部には、切欠溝８を形成しておけば、これに工具、硬貨等を係合することによって、内側蓋体５を容易に着脱することができる。
【００３０】
次に、本発明のシロアリの殺虫、成育抑制容器１を使用して、本発明のシロアリの殺虫、成育抑制方法を実施する場合について説明する。
【００３１】
先ず、図１に示すように、外側容器２内に内側容器３を挿入し、外側容器２の内面と内側容器３の外面とによって画成された空間に誘蟻材料を充填する。
そして、外側容器２の上部に外側蓋体４を被覆し、内側蓋体５を外側蓋体４の投入口７に嵌合させて、シロアリの殺虫、成育抑制容器１を使用状態とする。
【００３２】
次に、シロアリの接近又は被害が確認されている家屋の周辺、又は、シロアリの接近又は被害が予想される家屋の周辺の土壌に埋設穴を穿って、シロアリの殺虫、成育抑制容器１を埋設する。
ここで、埋設穴は、殺虫、成育抑制容器１の外形寸法と略同等程度のものを穿てばよいが、地面から浸透した雨水等が外側容器２の底部より内部に侵入するのを防止するため、外側容器２の高さよりも１〜５ｃｍ程度、好ましくは、１〜３ｃｍ程度深く穿つのがよい。
【００３３】
その後、内側蓋体５を取り外し、外側蓋体４の投入口７から内部を観察し、内側容器３内にシロアリが侵入しているのを確認したら、内側容器３内に薬剤処理土壌を充填する。
尚、予め、内側容器３内に薬剤処理土壌を充填して、殺虫、成育抑制容器１を埋設してもよいが、その場合でも、投入口７から薬剤処理土壌にシロアリが侵入しているのを確認するのが好ましい。
【００３４】
本発明のシロアリの殺虫、成育抑制方法を実施する時期としては、シロアリが活動を開始する時期の前、すなわち、地域によって若干異なるが、概ね３月〜４月に開始することが望ましい。
しかし、既にシロアリが家屋へ侵入しているのが確認されている場合、又は、家屋へ侵入する虞が高いと予想される場合においては、即時に実施するのが好ましい。
【００３５】
図３に示すものは、本発明のシロアリの殺虫、成育抑制容器の他実施例の縦断面図であって、このシロアリの殺虫、成育抑制容器５１も、シロアリの殺虫、成育抑制容器１と同様に、内側容器５２、外側容器５３、外側蓋体５４及び内側蓋体５５とから構成される。
【００３６】
内側容器５２は、外径３４ｍｍ、高さ１６０ｍｍ、厚さ２ｍｍのアクリル樹脂製の円筒状部材５２１の底面部に、直径３４ｍｍ、厚さ２ｍｍの円板状部材５２２を貼着してなる。
そして、内側容器５２の側面部には、直径７ｍｍの通過孔５６を４２個穿設してある。
【００３７】
外側容器５３は、外径７６ｍｍ、高さ１８０ｍｍ、厚さ３ｍｍのアクリル樹脂製の円筒状部材５３１の下端部に、直径７０ｍｍ、厚さ２ｍｍのアクリル樹脂製の円板状部材５３２を内設し、この円板状部材５３２を支持するために、外径７０ｍｍ、高さ５ｍｍ、厚さ２ｍｍのアクリル樹脂製の円環状部材５３３を嵌着してなる。
そして、円板状部材５３２には、直径１０ｍｍの通過孔を１７個穿設し、外側容器５３の側面部には、直径７ｍｍの通過孔５６を８０個穿設してある。
【００３８】
ここで、内側容器５２の上端には、内側容器５２を外側容器５３の略中央部に保持するために、支持板５７を配設してあり、さらに、この支持板５７を内側容器５２に固定する際の補強のために、外径３８ｍｍ、高さ５ｍｍ、厚さ２ｍｍのアクリル樹脂製の円環状部材５８を配設してある。
又、外側容器５３の上部内面には、外側容器５３の上端から８ｍｍの位置が内側容器５２の上端になるべく、支持板５７を支持するために、外径７０ｍｍ、高さ５ｍｍ、厚さ２ｍｍのアクリル樹脂製の円環状部材５９を固着してある。
【００３９】
外側蓋体５４は、直径１３５ｍｍ、厚さ２ｍｍのアクリル樹脂製であり、外側容器５３の上端に載置される。そして、外側蓋体５４の略中央部には、直径３８ｍｍの投入口６０を穿設してある。
又，外側蓋体５４の下面には、外径７０ｍｍ、高さ５ｍｍ、厚さ２ｍｍのアクリル樹脂製の円環状部材６１を固着し、外側蓋体５４を外側容器５２に密嵌できるようにしてある。
さらに、外側蓋体５４の下面には、投入口６０に突出して、内側蓋体５５を装着するために、長さ１０ｍｍ、幅１０ｍｍ、厚さ２ｍｍのアクリル樹階製の支持部材６１を４個固着してある。
【００４０】
内側蓋体５５は、直径３８ｍｍ、厚さ２ｍｍのアクリル樹脂製であり、前記外側蓋体５４に穿設された投入口６０に着脱自在となっている。
又、内側蓋体５５の上面には、投入口６０に容易に着脱できるように、摘み部６２を固着してある。
【００４１】
かかる構成のシロアリの殺虫、成育抑制容器５１にあっても、前記シロアリの殺虫、成育抑制容器５１と同様の作用、効果を奏する。
【００４２】
次に、本発明のシロアリの殺虫、成育抑制方法の作用、効果について、具体的な実施例を挙げて説明する。
【実施例】
【００４３】
［実施例１〜４８］
前記シロアリの殺虫、成育抑制容器１を使用し、内側容器３内に充填する土壌として、石英砂（粒径０．３〜０．５ｍｍの海砂：キシダ化学（株）社製）、砂（ホームセンターコーナン社製）、真正土（ホームセンターコーナン社製）及び培養土（ホームセンターコーナン社製）を使用した。砂、真正土及び培養土については
、篩によって粒径０．８５ｍｍ以下に篩別したものを使用した。
【００４４】
前記各々の砂又は土を６０℃で４８時間オーブン乾燥させた後、クロルピリホス（有機リン系防蟻薬剤）、パーメスリン（合成ピレスロイド系防蟻薬剤）、クロロフェナピル（新ピロール系防蟻薬剤）、イミダクロプリド（クロロニコチニル系防蟻薬剤）によって処理した。
【００４５】
クロルピリホスについては、乳剤（クロルピリホス濃度４０重量％）を水で希釈して、１．０、０．５及び０．０２５重量％としたものを使用した。パーメスリンについては、乳剤（パーメスリン濃度１０重量％）を水で希釈して、０．２、０．１及び０．０５重量％としたものを使用した。クロロフェナピルについては、フロアブル剤（クロロフェナピル濃度２１．４４重量％）を水で希釈して、０．１、０．０５及び０．０２５重量％としたものを使用した。イミダクロプリドについては、フロアブル剤（イミダクロプリドとして２０重量％）を水で希釈して０．１、０．０５および０．０２５重量％として使用した。
【００４６】
各々の砂又は土への各種防蟻薬剤の処理方法及び防蟻効力試験方法は、社団法人日本木材保存協会規格第１３号（土壌処理用防蟻薬剤の防蟻効力試験方法及び性能基準（Ｉ））に準拠して実施した。
その試験結果は、表１、表２及び表３に示した通りである。
【００４７】
【表１】
2005046076.tif 000003
【００４８】
【表２】
2005046076.tif 000004
【００４９】
【表３】
2005046076.tif 000005
【００５０】
表１、表２及び表３に示した通り、何れの薬剤についても、有機物が豊富な培養土に処理した場合には、シロアリに対する薬剤効力の発現は、遅滞することが判明した。しかし、効力の発現が遅滞するのみであって、シロアリを殺滅させる効力に何等問題はなかった。
【００５１】
［実施例４９〜６０］
前記シロアリの殺虫、成育抑制容器１を使用し、内側容器３内に充填する土壌として、石英砂（粒径０．３〜０．５ｍｍの海砂：キシダ化学（株）社製）、砂（ホームセンターコーナン社製）、真正土（ホームセンターコーナン社製）及び培養土（ホームセンターコーナン社製）を使用した。砂、真正土及び培養土については
、篩によって粒径０．８５ｍｍ以下に篩別したものを使用した。
【００５２】
前記各々の砂又は土を６０℃で４８時間オーブン乾燥させた後、分量を略三等分して、一つはそのまま、他の二つには直径５ｍｍのプラスチック製ボールを１０又は３０容量％になるように混合した。
そして、防蟻薬剤としてクロロフェナピルを使用し、そのフロアブル剤（クロロフェナピル濃度２１．４４重量％）を水で希釈して、０．１重量％としたもので処理した。
【００５３】
各々の砂又は土へのクロロフェナピルの処理方法及び防蟻効力試験方法は、社団法人日本木材保存協会規格第１３号（土壌処理用防蟻薬剤の防蟻効力試験方法及び性能基準（Ｉ））に準拠して実施した。
そして、土壌中でのシロアリの貫通状況を観察するとともに、貫通に要する時間を測定した。その試験結果は、表４に示した通りである。
【００５４】
【表４】
2005046076.tif 000006
【００５５】
表４に示した通り、何れの土壌についても、土壌中にプラスチック製ボールを混入させることによって、シロアリの土壌穿孔速度を抑制でき、又、プラスチック製ボールの量を増加させることによって、シロアリの土壌穿孔速度をより抑制できることが判明した。
従って、実施例１〜４８に示した各薬剤等によって処理した土壌に混入させることによっても、シロアリの薬剤に対する接触時間を延長させ、薬剤による防蟻効力をより効果的に発現させることが可能であることが判明した。
【００５６】
［実施例６１〜６４］
前記シロアリの殺虫、成育抑制容器５１を使用し、誘蟻材料として、片ダンボール紙を使用し、これを内側容器５３に巻き付けるようにして、充填した。
そして、この殺虫、成育抑制容器５１を、イエシロアリ及びヤマトシロアリによる被害が確認されている住宅周辺の土壌中に、住宅壁面から１０ｃｍ以内で、２〜３ｍ間隔で５箇所に設置した。
何れも４月下旬に設置し、外側蓋体５４、内側蓋体５５を除いて、外側容器５２、内側容器５３は土壌中に完全に埋設した。
【００５７】
設置後１〜１．５ケ月目に、誘蟻材料としての片ダンボール紙にシロアリが相当数接近しているのが確認できたので、直ちに、内側容器５３にクロロフェナピルで処理した培養土(ホームセンターコーナン社製)を充填して、そのまま試験を続行した。
ここで、クロロフェナピルとしては、フロアブル剤（クロロフェナピル濃度２１．４４重量％）を水で希釈して、０．１重量％としたものを使用した。
その結果は、表５に示した通りである。
【００５８】
【表５】
2005046076.tif 000007
【００５９】
表５に示した通り、本発明のシロアリ殺虫、成育抑制方法は、極めて殺虫効果の高い方法であることが証明された。
【図面の簡単な説明】
【００６０】
【図１】本発明のシロアリの殺虫、成育抑制容器の一実施例の斜視図である。
【図２】図１に示すシロアリの殺虫、成育抑制容器の側面図である。
【図３】本発明のシロアリの殺虫、成育抑制容器の他実施例の縦断面図である。
【符号の説明】
【００６１】
１  シロアリの殺虫、成育抑制容器
２  内側容器
３  外側容器
４  外側蓋体
５  内側蓋体
６  通過孔
７  投入口
【図１】
2005046076.tif 000008
【図２】
2005046076.tif 000009
【図３】
2005046076.tif 000010